(57)【特許請求の範囲】
【請求項１】
設置面上に自立設置可能且つ上下多段に積み上げ可能なコンクリート製の支持ブロックと、間隔を置いて設置された前記支持ブロック間に設けられ該支持ブロック同士を連結固定するコンクリート製の壁パネルとを用いるコンクリート構造物の構築方法であって、前記支持ブロックは、前記壁パネルを支持する傾斜壁及び垂直壁を有し、前記支持ブロックを上下多段に積み上げてブロック積層支柱を形成する場合、複数の前記傾斜壁が面一状態で上下に連続し前記壁パネルを傾斜状態で支持可能な傾斜支持壁を有するブロック積層支柱と、複数の前記垂直壁が面一状態で上下に連続し前記壁パネルを垂直状態に支持可能な垂直支持壁を有するブロック積層支柱とを選択して形成可能に構成されており、複数の前記支持ブロックを設置面上に間隔を置いて設置すると共に、前記支持ブロックを上下に積み上げて前記ブロック積層支柱を形成し、この複数のブロック積層支柱間に前記壁パネルを配設して連結固定し、この壁パネルと土壁面や擁壁ブロックから成る擁壁面などの他の壁面との対向間隔を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項２】
請求項１記載のコンクリート構造物の構築方法において、複数の前記支持ブロックを設置面上にして前側に間隔を置いて設置すると共に、前記支持ブロックを上下に積み上げて前側の前記ブロック積層支柱を形成し、この複数の前側のブロック積層支柱間に前記壁パネルを配設して連結固定し、更に、複数の前記支持ブロックを設置面上にして後側に間隔を置いて設置すると共に、前記支持ブロックを上下に積み上げて後側の前記ブロック積層支柱を形成し、この複数の後側のブロック積層支柱間に前記壁パネルを配設して連結固定し、前記前側のブロック積層支柱と前記後側のブロック積層支柱との対向間隔を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項３】
請求項２記載のコンクリート構造物の構築方法において、前記硬化剤注入空間の左右に前記支持ブロックを設置面上に設置すると共に、前記支持ブロックを上下に積み上げて左右の前記ブロック積層支柱を形成し、この左右のブロック積層支柱に前記壁パネルを配設して連結固定し、前記壁パネルで前後左右が囲繞された部位を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項４】
設置面上に自立設置可能且つ上下多段に積み上げ可能なコンクリート製の支持ブロックと、間隔を置いて設置された前記支持ブロック間に設けられ該支持ブロック同士を連結固定するコンクリート製の壁パネルとを用いるコンクリート構造物の構築方法であって、前記支持ブロックは、前記壁パネルを支持する前壁部及び後壁部を有し、前記前壁部と前記後壁部のいずれか一方が傾斜壁に形成されていると共に、他方が垂直壁に形成されており、前記支持ブロックは、前記前壁部と前記後壁部の向きを揃えた状態で上下に積み上げ可能であって、且つ前記前壁部と前記後壁部の向きを前後反転させた状態でも上下に積み上げ可能に構成され、前記支持ブロックを上下に積み上げてブロック積層支柱を形成する場合、複数の前記傾斜壁が面一状態で上下に連続し前記壁パネルを傾斜状態で支持可能な傾斜支持壁を有するブロック積層支柱と、複数の前記垂直壁が面一状態で上下に連続し前記壁パネルを垂直状態に支持可能な垂直支持壁を有するブロック積層支柱と、前記傾斜壁と前記垂直壁とが上下に並べられ前記壁パネルを傾斜状態から垂直状態へ切替えて支持可能若しくは前記壁パネルを垂直状態から傾斜状態へ切替えて支持可能な勾配切替え支持壁を有するブロック積層支柱とを選択して形成可能に構成されており、複数の前記支持ブロックを設置面上に間隔を置いて設置すると共に、前記支持ブロックを上下に積み上げて前記ブロック積層支柱を形成し、この複数のブロック積層支柱間に前記壁パネルを配設して連結固定し、この壁パネルと土壁面や擁壁ブロックから成る擁壁面などの他の壁面との対向間隔を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項５】
請求項４記載のコンクリート構造物の構築方法において、複数の前記支持ブロックを設置面上にして前側に間隔を置いて設置すると共に、前記支持ブロックを上下に積み上げて前側の前記ブロック積層支柱を形成し、この複数の前側のブロック積層支柱間に前記壁パネルを配設して連結固定し、更に、複数の前記支持ブロックを設置面上にして後側に間隔を置いて設置すると共に、前記支持ブロックを上下に積み上げて後側の前記ブロック積層支柱を形成し、この複数の後側のブロック積層支柱間に前記壁パネルを配設して連結固定し、前記前側のブロック積層支柱と前記後側のブロック積層支柱との対向間隔を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項６】
請求項５記載のコンクリート構造物の構築方法において、前記硬化剤注入空間の左右に前記支持ブロックを設置面上に設置すると共に、前記支持ブロックを上下に積み上げて左右の前記ブロック積層支柱を形成し、この左右のブロック積層支柱に前記壁パネルを配設して連結固定し、前記壁パネルで前後左右が囲繞された部位を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項７】
設置面上に自立設置可能且つ上下多段に積み上げ可能なコンクリート製の支持ブロックと、間隔を置いて設置された前記支持ブロック間に設けられ該支持ブロック同士を連結固定するコンクリート製の壁パネルとを用いるコンクリート構造物の構築方法であって、前記支持ブロックは、上部に係止凸部が一体成形され、底部に前記係止凸部が係止可能な係合凹部が一体成形され、前記係止凸部と係合凹部を係止することにより前記支持ブロックが積み上げ可能に構成されており、また、前記支持ブロックは、前記壁パネルを支持する傾斜壁及び垂直壁を有し、前記係合凹部は、複数の前記傾斜壁を面一状態で上下に並べて前記支持ブロックを積み上げ可能な傾斜積み用係合凹部と、複数の前記垂直壁を面一状態で上下に並べて前記支持ブロックを積み上げ可能な垂直積み用係合凹部と、前記傾斜壁と前記垂直壁とを上下に並べて前記支持ブロックを積み上げ可能な勾配切替え積み用係合凹部とが設けられており、複数の前記支持ブロックを設置面上に間隔を置いて設置すると共に、前記支持ブロックを上下に積み上げて前記ブロック積層支柱を形成し、この複数のブロック積層支柱間に前記壁パネルを配設して連結固定し、この壁パネルと土壁面や擁壁ブロックから成る擁壁面などの他の壁面との対向間隔を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項８】
請求項７記載のコンクリート構造物の構築方法において、複数の前記支持ブロックを設置面上にして前側に間隔を置いて設置すると共に、前記支持ブロックを上下に積み上げて前側の前記ブロック積層支柱を形成し、この複数の前側のブロック積層支柱間に前記壁パネルを配設して連結固定し、更に、複数の前記支持ブロックを設置面上にして後側に間隔を置いて設置すると共に、前記支持ブロックを上下に積み上げて後側の前記ブロック積層支柱を形成し、この複数の後側のブロック積層支柱間に前記壁パネルを配設して連結固定し、前記前側のブロック積層支柱と前記後側のブロック積層支柱との対向間隔を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【請求項９】
請求項８記載のコンクリート構造物の構築方法において、前記硬化剤注入空間の左右に前記支持ブロックを設置面上に設置すると共に、前記支持ブロックを上下に積み上げて左右の前記ブロック積層支柱を形成し、この左右のブロック積層支柱に前記壁パネルを配設して連結固定し、前記壁パネルで前後左右が囲繞された部位を硬化剤注入空間とする型枠形構造物を形成し、この型枠形構造物内の前記硬化剤注入空間に硬化剤を注入して硬化させることで、前記壁パネルが外壁として機能するコンクリート構造物を形成することを特徴とするコンクリート構造物の構築方法。
【発明の詳細な説明】
【技術分野】
【０００１】
本発明は、例えば、道路脇に設備される擁壁などを構築可能なコンクリート構造物の構築方法に関するものである。
【背景技術】
【０００２】
従来のコンクリート構造物の構築方法として、多数のコンクリート製の型枠パネルを枠組みし、この枠組みされた多数の型枠パネル内にコンクリートなどの硬化剤を打設して硬化させ、硬化剤硬化後に型枠パネルが外表面に残存する（型枠パネルが外壁として機能する）コンクリート製構造物を構築する工法が知られており（例えば、特許文献１の図８参照）、この従来工法によれば、施工完了後に型枠を撤去する必要がなく、型枠資材等の廃材も発生しないというメリットがある。
【先行技術文献】
【特許文献】
【０００３】
【特許文献１】特許第３７４９４２４号公報
【発明の概要】
【発明が解決しようとする課題】
【０００４】
上記した従来のコンクリート構造物の構築方法は、多数の型枠パネルがそれ単体では自立できないので、現場で型枠パネルに鉄筋杭を溶接し、この鉄筋杭を型枠パネル背面側の設置面に杭打ちすることで立ち姿勢を維持して枠組みを形成しているが、多数の型枠パネルを細い鉄筋による支えのみで立たせているので枠組みの保持強度に不安があり、この枠組み内に硬化剤を打設して硬化剤が硬化するまでは倒壊の危険性を孕んでいた。
【０００５】
本発明は、このような従来工法の問題点に注目し、これを解消しようとするもので、従来工法同様に施工完了後に型枠を撤去する必要も廃材も発生せず、壁パネルが安定的に支えられた型枠形構造物を形成できて硬化剤注入・硬化前に倒壊の危険性がない施工性・安全性に優れたコンクリート構造物の構築方法を提供するものである。
【課題を解決するための手段】
【０００６】
添付図面を参照して本発明の要旨を説明する。
【０００７】
設置面１上に自立設置可能且つ上下多段に積み上げ可能なコンクリート製の支持ブロック２と、間隔を置いて設置された前記支持ブロック２間に設けられ該支持ブロック２同士を連結固定するコンクリート製の壁パネル３とを用いるコンクリート構造物の構築方法であって、前記支持ブロック２は、前記壁パネル３を支持する傾斜壁11及び垂直壁12を有し、前記支持ブロック２を上下多段に積み上げてブロック積層支柱４を形成する場合、複数の前記傾斜壁11が面一状態で上下に連続し前記壁パネル３を傾斜状態で支持可能な傾斜支持壁13を有するブロック積層支柱４と、複数の前記垂直壁12が面一状態で上下に連続し前記壁パネル３を垂直状態に支持可能な垂直支持壁14を有するブロック積層支柱４とを選択して形成可能に構成されており、複数の前記支持ブロック２を設置面１上に間隔を置いて設置すると共に、前記支持ブロック２を上下に積み上げて前記ブロック積層支柱４を形成し、この複数のブロック積層支柱４間に前記壁パネル３を配設して連結固定し、この壁パネル３と土壁面や擁壁ブロック26から成る擁壁面27などの他の壁面との対向間隔を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【０００８】
また、請求項１記載のコンクリート構造物の構築方法において、複数の前記支持ブロック２を設置面１上にして前側に間隔を置いて設置すると共に、前記支持ブロック２を上下に積み上げて前側の前記ブロック積層支柱４を形成し、この複数の前側のブロック積層支柱４間に前記壁パネル３を配設して連結固定し、更に、複数の前記支持ブロック２を設置面１上にして後側に間隔を置いて設置すると共に、前記支持ブロック２を上下に積み上げて後側の前記ブロック積層支柱４を形成し、この複数の後側のブロック積層支柱４間に前記壁パネル３を配設して連結固定し、前記前側のブロック積層支柱４と前記後側のブロック積層支柱４との対向間隔を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【０００９】
また、請求項２記載のコンクリート構造物の構築方法において、前記硬化剤注入空間５の左右に前記支持ブロック２を設置面１上に設置すると共に、前記支持ブロック２を上下に積み上げて左右の前記ブロック積層支柱４を形成し、この左右のブロック積層支柱４に前記壁パネル３を配設して連結固定し、前記壁パネル３で前後左右が囲繞された部位を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【００１０】
また、設置面１上に自立設置可能且つ上下多段に積み上げ可能なコンクリート製の支持ブロック２と、間隔を置いて設置された前記支持ブロック２間に設けられ該支持ブロック２同士を連結固定するコンクリート製の壁パネル３とを用いるコンクリート構造物の構築方法であって、前記支持ブロック２は、前記壁パネル３を支持する前壁部11及び後壁部12を有し、前記前壁部11と前記後壁部12のいずれか一方が傾斜壁11に形成されていると共に、他方が垂直壁12に形成されており、前記支持ブロック２は、前記前壁部11と前記後壁部12の向きを揃えた状態で上下に積み上げ可能であって、且つ前記前壁部11と前記後壁部12の向きを前後反転させた状態でも上下に積み上げ可能に構成され、前記支持ブロック２を上下に積み上げてブロック積層支柱４を形成する場合、複数の前記傾斜壁11が面一状態で上下に連続し前記壁パネル３を傾斜状態で支持可能な傾斜支持壁13を有するブロック積層支柱４と、複数の前記垂直壁12が面一状態で上下に連続し前記壁パネル３を垂直状態に支持可能な垂直支持壁14を有するブロック積層支柱４と、前記傾斜壁11と前記垂直壁12とが上下に並べられ前記壁パネル３を傾斜状態から垂直状態へ切替えて支持可能若しくは前記壁パネル３を垂直状態から傾斜状態へ切替えて支持可能な勾配切替え支持壁15を有するブロック積層支柱４とを選択して形成可能に構成されており、複数の前記支持ブロック２を設置面１上に間隔を置いて設置すると共に、前記支持ブロック２を上下に積み上げて前記ブロック積層支柱４を形成し、この複数のブロック積層支柱４間に前記壁パネル３を配設して連結固定し、この壁パネル３と土壁面や擁壁ブロック26から成る擁壁面27などの他の壁面との対向間隔を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【００１１】
また、請求項４記載のコンクリート構造物の構築方法において、複数の前記支持ブロック２を設置面１上にして前側に間隔を置いて設置すると共に、前記支持ブロック２を上下に積み上げて前側の前記ブロック積層支柱４を形成し、この複数の前側のブロック積層支柱４間に前記壁パネル３を配設して連結固定し、更に、複数の前記支持ブロック２を設置面１上にして後側に間隔を置いて設置すると共に、前記支持ブロック２を上下に積み上げて後側の前記ブロック積層支柱４を形成し、この複数の後側のブロック積層支柱４間に前記壁パネル３を配設して連結固定し、前記前側のブロック積層支柱４と前記後側のブロック積層支柱４との対向間隔を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【００１２】
また、請求項５記載のコンクリート構造物の構築方法において、前記硬化剤注入空間５の左右に前記支持ブロック２を設置面１上に設置すると共に、前記支持ブロック２を上下に積み上げて左右の前記ブロック積層支柱４を形成し、この左右のブロック積層支柱４に前記壁パネル３を配設して連結固定し、前記壁パネル３で前後左右が囲繞された部位を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【００１３】
また、設置面１上に自立設置可能且つ上下多段に積み上げ可能なコンクリート製の支持ブロック２と、間隔を置いて設置された前記支持ブロック２間に設けられ該支持ブロック２同士を連結固定するコンクリート製の壁パネル３とを用いるコンクリート構造物の構築方法であって、前記支持ブロック２は、上部に係止凸部９が一体成形され、底部に前記係止凸部９が係止可能な係合凹部10が一体成形され、前記係止凸部９と係合凹部10を係止することにより前記支持ブロック２が積み上げ可能に構成されており、また、前記支持ブロック２は、前記壁パネル３を支持する傾斜壁11及び垂直壁12を有し、前記係合凹部10は、複数の前記傾斜壁11を面一状態で上下に並べて前記支持ブロック２を積み上げ可能な傾斜積み用係合凹部10Ａと、複数の前記垂直壁12を面一状態で上下に並べて前記支持ブロック２を積み上げ可能な垂直積み用係合凹部10Ｂと、前記傾斜壁11と前記垂直壁12とを上下に並べて前記支持ブロック２を積み上げ可能な勾配切替え積み用係合凹部10Ｃとが設けられており、複数の前記支持ブロック２を設置面１上に間隔を置いて設置すると共に、前記支持ブロック２を上下に積み上げて前記ブロック積層支柱４を形成し、この複数のブロック積層支柱４間に前記壁パネル３を配設して連結固定し、この壁パネル３と土壁面や擁壁ブロック26から成る擁壁面27などの他の壁面との対向間隔を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【００１４】
また、請求項７記載のコンクリート構造物の構築方法において、複数の前記支持ブロック２を設置面１上にして前側に間隔を置いて設置すると共に、前記支持ブロック２を上下に積み上げて前側の前記ブロック積層支柱４を形成し、この複数の前側のブロック積層支柱４間に前記壁パネル３を配設して連結固定し、更に、複数の前記支持ブロック２を設置面１上にして後側に間隔を置いて設置すると共に、前記支持ブロック２を上下に積み上げて後側の前記ブロック積層支柱４を形成し、この複数の後側のブロック積層支柱４間に前記壁パネル３を配設して連結固定し、前記前側のブロック積層支柱４と前記後側のブロック積層支柱４との対向間隔を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【００１５】
また、請求項８記載のコンクリート構造物の構築方法において、前記硬化剤注入空間５の左右に前記支持ブロック２を設置面１上に設置すると共に、前記支持ブロック２を上下に積み上げて左右の前記ブロック積層支柱４を形成し、この左右のブロック積層支柱４に前記壁パネル３を配設して連結固定し、前記壁パネル３で前後左右が囲繞された部位を硬化剤注入空間５とする型枠形構造物６を形成し、この型枠形構造物６内の前記硬化剤注入空間５に硬化剤７を注入して硬化させることで、前記壁パネル３が外壁として機能するコンクリート構造物８を形成することを特徴とするコンクリート構造物の構築方法に係るものである。
【発明の効果】
【００１６】
本発明は上述のように構成したから、上記従来工法と同様に施工完了後に型枠を撤去する必要がなく廃材も発生せず、しかも、支持ブロックが自立設置可能であるため、この支持ブロックを上下に積み上げて形成されたブロック積層支柱も設置面上で安定的に自立することなり、安定的に自立するこの複数のブロック積層支柱間に、壁パネルを安全に連結固定することができると共に、形成された型枠形構造物は倒壊の心配がなく、この安定的な型枠形構造物内の硬化剤注入空間に硬化剤を注入し硬化させて複数の壁パネルが外壁として機能するコンクリート構造物を安全に構築することができる極めて実用性に優れたコンクリート構造物の構築方法となる。
【図面の簡単な説明】
【００１７】
【図１】実施例１の支持ブロックを示す斜視図である。
【図２】実施例１の壁パネルを示す斜視図である。
【図３】実施例１の基礎ブロックを示す斜視図である。
【図４】実施例１の構築手順１を示す説明図である。
【図５】実施例１の構築手順２を示す説明図である。
【図６】実施例１の構築手順３を示す説明図である。
【図７】実施例１の型枠形構造物を示す平面図である。
【図８】実施例１の支持ブロック（の傾斜壁）と壁パネルとの連結固定構造を示す説明拡大斜視図である。
【図９】実施例１の支持ブロック（の垂直壁）と壁パネルとの連結固定構造を示す説明拡大斜視図である。
【図１０】実施例１の支持ブロックを用いて勾配切替え支持壁を有するブロック積層支柱を形成し、このブロック積層支柱に壁パネルを連結固定して形成した型枠形構造物を示す説明側面図である。
【図１１】実施例１の支持ブロックを用いて、図１０とは異なる勾配切替え支持壁を有するブロック積層支柱を形成した場合を示す説明側面図である。
【図１２】実施例２の型枠構造物を示す平面図である。
【発明を実施するための形態】
【００１８】
好適と考える本発明の実施形態を、図面に基づいて本発明の作用を示して簡単に説明する。
【００１９】
本発明のコンクリート構造物の構築方法は、設置面１上に自立設置可能且つ上下多段に積み上げ可能なコンクリート製の支持ブロック２と、間隔を置いて設置されたこの支持ブロック２間に連結固定するコンクリート製の壁パネル３とを用いる。
【００２０】
先ず、支持ブロック２を設置面１上の複数箇所に間隔を置いて設置すると共に、設置面１上の複数箇所で支持ブロック２を上下に積み上げてブロック積層支柱４を形成する。
【００２１】
この際、支持ブロック２は、設置面１上に自立設置可能であることにより、この支持ブロック２を上下に積み上げて形成された前記ブロック積層支柱４も、設置面１上で安定的に自立する。
【００２２】
次いで、複数箇所のブロック積層支柱４間に前記壁パネル３を連結固定することにより、複数の壁パネル３で囲繞された硬化剤注入空間５を有する型枠形構造物６を形成する。
【００２３】
この際、安定的に自立する複数のブロック積層支柱４間に、壁パネル３を安全に連結固定することができ、これによって形成された型枠形構造物６も、壁パネル３が自立するブロック積層支柱４間にしっかりと連結固定されて安定的な構造となっているので、倒壊の心配はない。
【００２４】
次いで、この型枠形構造物６内の前記硬化剤注入空間５に硬化剤７を注入し、硬化剤７を硬化させることで、複数の壁パネル３が外壁として機能するコンクリート構造物８を形成する。
【実施例１】
【００２５】
本発明の具体的な実施例１について図１〜図１１に基づいて説明する。
【００２６】
本実施例は、設置面１上に敷設載置するコンクリート製の基礎ブロック17と、この基礎ブロック17上に載置されることによりこの基礎ブロック17を介して設置面１上に自立設置可能で且つ上下多段に積み上げ可能なコンクリート製の支持ブロック２と、間隔を置いて設置されたこの支持ブロック２間に架設状態で連結固定するコンクリート製の壁パネル３とを用いて行うコンクリート構造物の構築方法である。
【００２７】
本実施例の基礎ブロック17は、図３に示すように、左右幅が２０００ｍｍ程度，前後幅が１１００ｍｍ程度の横長な平面視長方形板状体であって、上面の前後位置に後述する支持ブロック２底部の係合凹部10に係止する凸条18を有する形状に一体成形されている（図４〜図６参照）。
【００２８】
また、この基礎ブロック17の前後の凸条18には、夫々の上面に、前記支持ブロック２間に連結固定される前記壁パネル３の下端部を載置状態に支持する支持部19が設けられている。
【００２９】
具体的には、前側の凸条18は、その上面の途中部に傾斜上面を有してこの傾斜上面が、支持ブロック２に傾斜状態で連結固定される前記壁パネル３の下端部を載置支持する傾斜支持部19Ａとして構成され、後側の凸条18は、水平上面を有してこの水平上面が、支持ブロック２に垂直状態で連結固定される壁パネル３の下端部を載置支持する水平支持部19Ｂとして構成されている（図４〜図６参照）。
【００３０】
本実施例の支持ブロック２は、図１に示すように、前壁部11と、後壁部12と、この前壁部11と後壁部12の下端間に架設される底壁部16とから成る側面視で転コ字形の板状体であって、左右幅が５００ｍｍ程度、前後幅が８００ｍｍ程度、高さが４５０ｍｍ程度のブロック体に一体成形されている。尚、本実施例では、説明の都合上、前壁部11と後壁部12という文言を用いているが、厳密な意味での前壁，後壁を定めているものはない（後述するように、後壁部12が前壁として機能する（外側に配される）場合もある。）。
【００３１】
また、この支持ブロック２は、前壁部11と後壁部12とに前記壁パネル３を支持して連結固定可能に構成され、更に前壁部11は、後壁部12側に向かって傾斜する傾斜壁11に形成（一体成形）されていると共に、後壁部12は垂直壁12に形成（一体成形）されている。
【００３２】
また、この前壁部11は、壁パネル３を面接支持する前（外側）面部が垂直に対し２６〜２８°程後方に傾斜する傾斜壁11に一体成形されていると共に、前記後壁部12は、壁パネル３を面接支持する後（外側）面部が略垂直な垂直壁12に一体成形されている。
【００３３】
即ち、前壁部11は、その外側面部に壁パネル３を傾斜状態に支持して連結固定可能に構成され、後壁部12は、その外側面部に壁パネル３を垂直状態に支持して連結固定可能に構成されている。
【００３４】
また、この支持ブロック２の底部の下面には、この支持ブロック２の左右方向に長さを有する凹溝状の係合凹部10が前後方向に間隔を置いた四箇所に設けられ（一体成形され）ており、このうち最も前側と最も後側に存する係合凹部10には、この支持ブロック２を前記基礎ブロック17に設置した際に基礎ブロック17の前後の前記凸条18が係止するように構成されており、これにより基礎ブロック17に対し支持ブロック２が前後方向へズレ止め状態で設置されるように構成されている。
【００３５】
尚、設置面１に敷設載置された基礎ブロック17上には、支持ブロック２を、その前壁部11側を前記傾斜支持部19Ａ側に、後壁部12側を前記水平支持部19Ｂ側に配して載置設置する。
【００３６】
また、この支持ブロック２の前後の上端部は、前記係合凹部10に係止可能な係止凸部９として構成されており、一方、支持ブロック２底部の四箇所の係合凹部10は、前壁部11（傾斜壁11）側から数えて一番目と三番目の係合凹部10間の距離が、前後の係止凸部９間の距離と合致し、且つ前壁部11側から数えて二番目と四番目の係合凹部10間の距離も、前後の係止凸部９間の距離と合致するように構成されている。
【００３７】
即ち、四箇所の係合凹部10は、前壁部11側から数えて一番目と三番目とが対をなしてこの一番目と三番目の係合凹部10に支持ブロック２の前後の係止凸部９を係止でき、且つ前壁部11側から数えて二番目と四番目も対をなしてこの二番目と四番目の係合凹部10に前後の係止凸部９を係止できるように構成されており、係止凸部９を係合凹部10に係止することで支持ブロック２を上下に積み上げ設置できて、複数の支持ブロック２で成るブロック積層支柱４を形成できるように構成されている。
【００３８】
また、前壁部11側から数えて一番目と三番目の係合凹部10は、傾斜積み用係合凹部10Ａとして構成されていて、この傾斜積み用係合凹部10Ａを利用し且つ前壁部11と後壁部12の向きを揃えた状態で支持ブロック２を上下に積み上げると、各支持ブロック２の前記傾斜壁11（前壁部11）が面一状態で上下に並べられた前記壁パネル３を傾斜状態に支持可能な傾斜支持壁13を有する前記ブロック積層支柱４が形成され、一方、前壁部11側から数えて二番目と四番目の係合凹部10は、垂直積み用係合凹部10Ｂとして構成されていて、この垂直積み用係合凹部10Ｂを利用し且つ前壁部11と後壁部12の向きを揃えた状態で支持ブロック２を上下に積み上げると、各支持ブロック２の前記垂直壁12（後壁部12）が面一状態で上下に並べられた前記壁パネル３を垂直状態に支持可能な垂直支持壁14を有する前記ブロック積層支柱４が形成されるように構成されている（図４〜図６参照）。
【００３９】
即ち、傾斜外壁（傾斜壁パネル３）を有するコンクリート構造物８（型枠形構造物６）を構築したい場合には、傾斜支持壁13を有するブロック積層支柱４を、その傾斜支持壁13が外向きとなるように形成したものを使用し、垂直外壁（垂直壁パネル３）を有するコンクリート構造物８（型枠形構造物６）を構築したい場合には、垂直支持壁14を有するブロック積層支柱４を、その垂直支持壁14が外向きとなるように形成したものを使用する。
【００４０】
本実施例の壁パネル３は、傾斜設置若しくは垂直設置されるもので、図２に示すように、左右幅が２０００ｍｍ程度の横長な正面視長方形板状体に一体成形されている。
【００４１】
また、この壁パネル３は、傾斜設置タイプ３Ａと垂直設置タイプ３Ｂとが用意されている。
【００４２】
傾斜設置タイプ３Ａと垂直設置タイプ３Ｂとは、互いに上下幅が異なる仕様で、夫々が連結固定される前記支持ブロック２の傾斜壁11と垂直壁12の上下幅に対応する上下幅を有するように構成されている。
【００４３】
即ち、前記支持ブロック２は、傾斜壁11と垂直壁12の上端部（係止凸部９）が同一高さに配される形状に形成されていて、傾斜壁11の前（外側）面部の上下幅が垂直壁12の後（外側）面部の上下幅よりも幅広に設定されているため、これに応じて、傾斜設置タイプ３Ａの上下幅は１０００ｍｍ程度、垂直設置タイプ３Ｂの上下幅は９００ｍｍ程度に設定構成されている。
【００４４】
更に詳しくは、この壁パネル３は、傾斜設置タイプ３Ａが前記支持ブロック２の傾斜壁11の前面部の上下幅の約二倍の上下幅を有し、垂直設置タイプ３Ｂが支持ブロック２の垂直壁12の後面部の上下幅の約二倍の上下幅を有している。
【００４５】
即ち、一枚の壁パネル３は、傾斜設置タイプ３Ａが、上下二段に積み上げた支持ブロック２で成るブロック積層支柱４の傾斜支持壁13に対して納まり良く支持され、垂直設置タイプ３Ｂが、上下二段に積み上げた支持ブロック２で成るブロック積層支柱４の垂直支持壁14に対して納まり良く支持されて連結固定し得るように構成されている。
【００４６】
また、この壁パネル３は、その上下端部に、複数の壁パネル３を上下に積み上げた際に、上下の壁パネル３同志の前後方向への位置ズレを防止するズレ止め段差20が設けられ（一体成形され）ている。
【００４７】
本実施例の、前記支持ブロック２への前記壁パネル３の連結固定構造を説明する。
【００４８】
図８，図９に示すように、支持ブロック２の傾斜壁11並びに垂直壁12には、高さ方向中ほどの左右両端部に内向きに凹設する形状のボルト通し用切欠部21が設けられ（傾斜壁11並びに垂直壁12が左右両端にボルト通し用切欠部21を有する形状に一体成形され、）、一方、壁パネル３の後面部には、その左右両側の上部寄り位置と中ほどよりやや下方位置とに、壁パネル３の前面部にまでは到達しない孔長のボルト止着孔22が穿設されている。
【００４９】
そして、傾斜壁11の前面部若しくは垂直壁12の後面部に壁パネル３を支持した後、傾斜壁11若しくは垂直壁12の内側（裏面側）から帯状の連結プレート24を装着した連結ボルト23を挿通させてボルト先端を前記ボルト止着孔22に止着することで、傾斜壁11若しくは垂直壁12に壁パネル３を連結固定し得るように構成されている。
【００５０】
この際、ボルト通し用切欠部21が傾斜壁11及び垂直壁12の側部を開放する切欠形状に形成されているため、傾斜壁11及び垂直壁12の裏面側や側方からボルト止着孔22を目視で確認しつつボルト通し用切欠部21に連通させることができ、壁パネル３の連結固定作業を容易に且つスピーディーに行うことができる。
【００５１】
尚、ボルト止着孔22への連結ボルト23の止着構造は、詳しく図示していないが、ボルト止着孔22内に接着剤などを充填して連結ボルト23を止着する構造が採用されている。この連結ボルト23の止着構造は、例えばボルト止着孔22にインサートナットが埋め込まれてこのインサートナットに連結ボルト23を止着（螺着）する構造や、その他の止着構造が採用されていても良い。
【００５２】
また、図面は、傾斜壁11若しくは垂直壁12に二枚の壁パネル３の右端部と左端部を突き合せ状態に支持して連結固定し得るように、ボルト通し用切欠部21の形成位置やボルト止着孔22の形成位置が設定構成されている。
【００５３】
図中符号25は、傾斜壁11の前（外側）面部と裏側（内側）面部との傾斜角度の違い（図面は、傾斜壁11の裏側面部の傾斜角度が、壁パネル３を支持する傾斜壁11前面部の傾斜角度とは異なる緩傾斜面に形成されている場合を示している。）から生じる連結ボルト23（の頭部）と連結プレート24の角度差を吸収するためのスペーサーである。
【００５４】
次に、図４〜図７を用いて本実施例のコンクリート構造物８の構築方法を説明する。
【００５５】
先ず、複数の基礎ブロック17を設置面１上に枠状（例えば図７に示すような平面視長方形枠状）に敷設載置し（図４（ａ）参照）、この基礎ブロック17を介して支持ブロック２を設置面１上の複数箇所に間隔を置いて設置する（図７参照）と共に、設置面１上の複数箇所で支持ブロック２を上下二段に積み上げてブロック積層支柱４を形成する（図４（ｂ）参照）。
【００５６】
続いて、複数箇所のブロック積層支柱４間に前記壁パネル３を架設状態に支持して連結固定することにより、複数の壁パネル３で囲繞された硬化剤注入空間５を有する型枠形構造物６を形成する（図４（ｃ）及び図７参照）。
【００５７】
図面は、平面視長方形枠状をなすように組まれた複数の壁パネル３で全周囲が囲繞された型枠形構造物６を形成すると共に、対向する外壁（壁パネル３）の一方が傾斜壁で他方が垂直壁となる型枠形構造物６を形成した場合を示している。尚、対向する外壁（壁パネル３）が双方とも傾斜壁である型枠構造物６や双方とも垂直壁である型枠形構造物６を形成することも可能である。
【００５８】
また、後述するように複数の壁パネル３で全周囲が囲繞された硬化剤注入空間５を有する型枠形構造物６を形成する場合だけでなく、例えば一部が土壁面や土壁面を覆う擁壁ブロック26の擁壁面27などで囲繞されている（複数の壁パネル３が全周囲に存在するのではなく、一部が別の壁によって囲繞された硬化剤注入空間５を有する）ような型枠形構造物６を形成しても良い。
【００５９】
続いて、この型枠形構造物６内の前記硬化剤注入空間５に、生コンクリートなどの硬化剤７を注入して硬化させる（図５（ｄ）参照）。尚、図面は、硬化剤７を一段目の支持ブロック２の上端付近にまで注入して硬化させた場合を示しているが、この硬化剤７の注入量は適宜設計変更し得るものである。
【００６０】
続いて、この型枠形構造物６の複数の前記ブロック積層支柱４上に前記支持ブロック２を更に二段積み上げて複数のブロック積層支柱４の高さを延長してから、型枠形構造物６の壁パネル３上に壁パネル３を積み上げ、この積み上げた壁パネル３を複数のブロック積層支柱４の延長部４Ａ間に配設して連結固定することにより型枠形構造物６の高さを延長し（図５（ｅ）参照）、この型枠形構造物６の延長部６Ａ内の硬化剤注入空間５内に硬化剤７を注入して硬化させる（図５（ｆ）参照）。
【００６１】
続いて、支持ブロック２を更に二段積み上げ壁パネル３も積み増しして型枠形構造物６の高さを延長し、この型枠形構造物６の延長部６Ａ内の硬化剤注入空間５内に硬化剤７を注入する工程を繰り返して、所望高さの前記コンクリート構造物８を形成する（図６（ｇ），（ｈ）参照）。
【００６２】
また、本実施例の支持ブロック２は、上記のように前壁部11と後壁部12の向きを揃えた状態で上下に積み上げ可能であるが、前壁部11と後壁部12の向きを前後反転させた状態でも上下に積み上げ可能に構成されている。
【００６３】
この場合、下段側の支持ブロック２対して向きを前後反転させた上段側の支持ブロック２は、前壁部11側から数えて一番目と三番目の係合凹部10若しくは二番目と四番目の係合凹部10が勾配切替え積み用係合凹部10Ｃとして機能するように構成されている。
【００６４】
即ち、例えば、傾斜壁11（前壁部11）が外側を向くようにして設置されている支持ブロック２の上部に向きを前後反転させた支持ブロック２を積み上げる場合には、積上げる支持ブロック２の前壁部11から数えて二番目と四番目の係合凹部10が勾配切替え積み用係合凹部10Ｃとなり、この勾配切替え積み用係合凹部10Ｃを利用して支持ブロック２を積み上げると、傾斜壁11の上方に垂直壁12（後壁部12）が連続した勾配切替え支持壁15を有する前記ブロック積層支柱４が形成され（図１０参照）、垂直壁12が外側を向くようにして設置されている支持ブロック２の上部に向きを前後反転させた支持ブロック２を積み上げる場合には、積上げる支持ブロック２の前壁部11から数えて一番目と三番目の係合凹部10が勾配切替え積み用係合凹部10Ｃとなり、この勾配切替え積み用係合凹部10Ｃを利用して支持ブロック２を積み上げると、垂直壁12の上方に傾斜壁11が連続した勾配切替え支持壁15を有する前記ブロック積層支柱４が形成される（図１１参照）ように構成されている。
【００６５】
また、この場合、前記壁パネル３は、勾配切替え接続タイプ３Ｃを使用する。
【００６６】
この勾配切替え接続タイプ３Ｃは、垂直設置された壁パネル３（垂直設置タイプ３Ｂ）の下段側に傾斜配設される下段接続傾斜タイプと、垂直設置された壁パネル３（垂直設置タイプ３Ｂ）の上段側に傾斜配設される上段接続傾斜タイプ（図示省略）の二タイプが用意されていて、下段接続傾斜タイプは、上端部が上段に配される垂直設置タイプ３Ｂの下端部を載置可能な傾斜面に形成（一体成形）されており、上段接続傾斜タイプは、下端部が下段に配される垂直設置タイプ３Ｂの上端部に載置可能な傾斜面に形成（一体成形）されている。
【００６７】
従って、本実施例では、支持ブロック２を上下に積み上げて前記ブロック積層支柱４を形成する際に、前記傾斜支持壁13を有する前記ブロック積層支柱４と、前記垂直支持壁14を有するブロック積層支柱４と、前記勾配切替え支持壁15を有するブロック積層支柱４とを現場状況等に応じて選択して形成可能に構成されている。
【実施例２】
【００６８】
本発明の具体的な実施例２について図１２に基づいて説明する。
【００６９】
本実施例は、前記実施例１とは異なり、予め施工されている擁壁ブロック26の擁壁面27の外側に壁パネル３が平面視コ字状をなす前記型枠形構造物６を形成した場合（既存の擁壁ブロック26の擁壁面27が型枠の一部として機能するように構成した場合）である。即ち、既存の擁壁を補強するような形のコンクリート構造物８を形成した場合である。
【００７０】
また、図面は、壁パネル３を全て垂直に支持して連結固定した型枠形構造物６を形成した場合を示している。
【００７１】
他の構成は前記実施例１と同様である。
【００７２】
尚、本発明は、実施例１，２に限られるものではなく、各構成要件の具体的構成は適宜設計し得るものである。
【符号の説明】
【００７３】
１  設置面
２  支持ブロック
３  壁パネル
４  ブロック積層支柱
５  硬化剤注入空間
６  型枠形構造物
７  硬化剤
８  コンクリート構造物
９  係止凸部
10  係合凹部
10Ａ  傾斜積み用係合凹部
10Ｂ  垂直積み用係合凹部
10Ｃ  勾配切替え積み用係合凹部
11  傾斜壁
12  垂直壁
13  傾斜支持壁
14  垂直支持壁
15  勾配切替え支持壁
26 擁壁ブロック
27 擁壁面
【図１】
0006975470.tif 000002
【図２】
0006975470.tif 000003
【図３】
0006975470.tif 000004
【図４】
0006975470.tif 000005
【図５】
0006975470.tif 000006
【図６】
0006975470.tif 000007
【図７】
0006975470.tif 000008
【図８】
0006975470.tif 000009
【図９】
0006975470.tif 000010
【図１０】
0006975470.tif 000011
【図１１】
0006975470.tif 000012
【図１２】
0006975470.tif 000013